(57)【要約】  ソレノイドバルブ本体の応答性を高めながら、収容部へのコンタミの侵入を少なくできるソレノイドバルブ装置を提供する。  ステータ（３３）とソレノイド成形体（１２）により画成される収容部（３０）に少なくともプランジャ（３４）の一部が配置されているソレノイドバルブ本体（３）において、スリーブ（６）とステータ（３３）との間には周方向に連続する環状の空間（Ｓ４）が形成されており、ソレノイドバルブ本体（３）の外部と空間（Ｓ４）とを連通する第１呼吸孔（６ｈ）と、空間（Ｓ４）と収容部（３０）とを連通する第２呼吸孔（３３ｇ）とが、空間（Ｓ４）における周方向の両方向で異なる距離となる位置に形成されている。
2019102931.tif 000002
【特許請求の範囲】
【請求項１】
スプールと、内部に前記スプールが軸方向に移動可能に配置されるスリーブと、前記スプールを移動させるプランジャと、ステータと、前記プランジャの外周に配置されるソレノイド成形体と、前記プランジャ、前記ステータ及び前記ソレノイド成形体を収容するソレノイドケースとを具備し、前記プランジャは前記ステータと前記ソレノイド成形体により画成される収容部に少なくとも一部が配置されているソレノイドバルブ本体と、  取付孔に前記ソレノイドバルブ本体の前記スリーブが挿入されて該ソレノイドバルブ本体が取付けられるバルブハウジングと、  を備えたソレノイドバルブ装置であって、  前記スリーブと前記ステータとの間には周方向に連続する環状の空間が形成されており、  前記ソレノイドバルブ本体の外部と前記空間とを連通する第１呼吸孔と、前記空間と前記収容部とを連通する第２呼吸孔とが、前記空間における周方向の両方向で異なる距離となる位置に形成されていることを特徴とするソレノイドバルブ装置。
【請求項２】
前記第２呼吸孔は、前記ソレノイドバルブ本体が前記バルブハウジングに取付けられた状態で、鉛直上方を向いて形成されていることを特徴とする請求項１に記載のソレノイドバルブ装置。
【請求項３】
前記第１呼吸孔は、鉛直側方を向いて形成されていることを特徴とする請求項１または２に記載のソレノイドバルブ装置。
【請求項４】
前記第１呼吸孔は前記スリーブに設けられ、前記第２呼吸孔は前記ステータに設けられていることを特徴とする請求項１ないし３のいずれかに記載のソレノイドバルブ装置。
【請求項５】
前記第１呼吸孔の流路断面積に比べて、前記空間内の流路断面積が大きく形成されていることを特徴とする請求項１ないし４のいずれかに記載のソレノイドバルブ装置。
【請求項６】
前記スリーブにおける前記ソレノイドケースとの接続端部は、軸方向視で一対の直線部と一対の円弧部とからなるスタジアム型に形成されており、該スタジアム型の端部の直線部に前記第１呼吸孔が形成されていることを特徴とする請求項１ないし５のいずれかに記載のソレノイドバルブ装置。
【発明の詳細な説明】
【技術分野】
【０００１】  本発明は、ソレノイドバルブ装置、特に油圧回路の油圧制御に適したソレノイドバルブ装置に関する。
【背景技術】
【０００２】  従来の油圧制御用のソレノイドバルブ装置は、バルブハウジングと、該バルブハウジングに形成された取付穴に取付けられるソレノイドバルブ本体とからなり、ソレノイドバルブ本体として、スリーブとスリーブに収容されたスプールとスリーブの一方端部を塞ぐリテーナとを有するバルブ部と、スプールを軸方向に駆動させるプランジャとソレノイドが樹脂により覆われたソレノイド成形体を収容するソレノイドケースを有するソレノイド部と、を具備し、ポンプやアキュムレータの圧力源と負荷側との間に配置され、スプールを駆動することにより圧力や流量が調整された制御油を負荷側に供給するものが知られている（例えば、特許文献１参照）。【０００３】  ところで、スプールはその駆動ストロークが比較的大きいため、ソレノイド部を駆動する場合、プランジャを収容する収容部内の空間の空気又は油等の流体（以下、単に流体とする。）が抵抗となってプランジャの迅速な移動を阻害する虞がある。そのため、従来のソレノイドバルブ本体は、スリーブに径方向に貫通する呼吸孔を形成し、呼吸孔を介して収容部と外部とを連通させる構造とすることで、プランジャの往復移動にあわせて流体を収容部とソレノイドバルブ本体の外部との間で移動させること、いわゆる呼吸させることで、プランジャの移動に伴う流体による抵抗を減らし、ソレノイドバルブ本体の応答性を高めていた。
【先行技術文献】
【特許文献】
【０００４】
【特許文献１】国際公開第２０１１／０５２３７１号公報（第７頁、第１図）
【発明の概要】
【発明が解決しようとする課題】
【０００５】  このようなソレノイドバルブ本体にあっては、駆動時にプランジャの移動により排出された流体の分だけ呼吸孔を通して、外部の流体が流れ込むこととなるが、スリーブに形成された呼吸孔は、収容部に直線状の流路により連通しているため、ソレノイドバルブ本体の外部の周囲に存在するコンタミが収容部に侵入しやすく、コンタミがプランジャの移動を阻害する虞があった。【０００６】  本発明は、このような問題点に着目してなされたもので、ソレノイドバルブ本体の応答性を高めながら、収容部へのコンタミの侵入を少なくできるソレノイドバルブ装置を提供することを目的とする。
【課題を解決するための手段】
【０００７】  前記課題を解決するために、本発明のソレノイドバルブ装置は、  スプールと、内部に前記スプールが軸方向に移動可能に配置されるスリーブと、前記スプールを移動させるプランジャと、ステータと、前記プランジャの外周に配置されるソレノイド成形体と、前記プランジャ、前記ステータ及び前記ソレノイド成形体を収容するソレノイドケースとを具備し、前記プランジャは前記ステータと前記ソレノイド成形体により画成される収容部に少なくとも一部が配置されているソレノイドバルブ本体と、  取付孔に前記ソレノイドバルブ本体の前記スリーブが挿入されて該ソレノイドバルブ本体が取付けられるバルブハウジングと、  を備えたソレノイドバルブ装置であって、  前記スリーブと前記ステータとの間には周方向に連続する環状の空間が形成されており、  前記ソレノイドバルブ本体の外部と前記空間とを連通する第１呼吸孔と、前記空間と前記収容部とを連通する第２呼吸孔とが、前記空間における周方向の両方向で異なる距離となる位置に形成されていることを特徴としている。  この特徴によれば、第１呼吸孔から空間に流れ込んだ流体は、空間内を周方向に短い距離を移動して第２呼吸孔に流れ込むものと、空間内を周方向に長い距離を移動して第２呼吸孔に流れ込むものとに分けられ、長い距離を移動して第２呼吸孔に流れ込む流体からは、流体中の比重の重いコンタミを空間の下方側に効果的に落とすことができ、収容部へのコンタミの侵入を少なくすることができ、かつ短い距離を移動して第２呼吸孔に流れ込む流体によりソレノイドバルブ本体の応答性を高めることができる。【０００８】  前記第２呼吸孔は、前記ソレノイドバルブ本体が前記バルブハウジングに取付けられた状態で、鉛直上方を向いて形成されている。  これによれば、スリーブの第１呼吸孔を介してソレノイドバルブ本体の外部から流れ込んだ流体に含まれるコンタミが、その自重によりステータとスリーブとの間に形成された空間における下部に沈殿し易く、収容部内へのコンタミの侵入を効果的に抑制することができる。【０００９】  前記第１呼吸孔は、鉛直側方を向いて形成されている。  これによれば、コンタミがステータとスリーブとの間に形成された空間における下部に沈殿し易い。【００１０】  前記第１呼吸孔は前記スリーブに設けられ、前記第２呼吸孔は前記ステータに設けられている。  これによれば、スリーブとステータとの取付時の位相を調整することで、第１呼吸孔と第２呼吸孔との空間における周方向の距離を調整することができる。【００１１】  前記第１呼吸孔の流路断面積に比べて、前記空間内の流路断面積が大きく形成されている。  これによれば、第１呼吸孔から空間内に流れ込んだ流体の流速が減衰され、空間内に流体が一時的に滞留し易く、空間の下方にコンタミを沈殿させ易い。【００１２】  前記スリーブにおける前記ソレノイドケースとの接続端部は、軸方向視で一対の直線部と一対の円弧部とからなるスタジアム型に形成されており、該スタジアム型の端部の直線部に前記第１呼吸孔が形成されている。  これによれば、第１呼吸孔をスタジアム型の端部の直線部に形成したことで、その位置を把握しやすく、当該第１呼吸孔を予め設定された位相に配置し易い。
【図面の簡単な説明】
【００１３】
【図１】本発明の実施例におけるソレノイドバルブ本体を示す斜視図である。
【図２】ソレノイドバルブ本体及びバルブハウジングのＡ−Ａ線断面図である。
【図３】ソレノイドバルブ本体を構成するスリーブ及びソレノイドケースを示す斜視図である。
【図４】ステータを示す斜視図である。
【図５】スリーブの呼吸孔とステータの呼吸孔とを介したソレノイドバルブ本体の呼吸路を示すＢ−Ｂ線断面図である。
【図６】ソレノイドバルブ本体の呼吸路を説明する図であり、（ａ）はソレノイドケース及びバルブハウジングを切り欠いて示す正面図であり、（ｂ）は（ａ）のＣ−Ｃ線断面図である。
【図７】ソレノイドバルブ本体がオフからオンに切り替わる状態におけるソレノイドバルブ本体の呼吸路を説明するＡ−Ａ線断面図である。
【図８】スリーブの呼吸孔とステータの呼吸孔とを介したソレノイドバルブ本体の呼吸路を示すＢ−Ｂ線断面図であり、（ａ）はソレノイドバルブ本体がオフからオンに切り替わる状態を示す図であり、（ｂ）はソレノイドバルブ本体がオンからオフに切り替わる状態を示す図である。
【発明を実施するための形態】
【００１４】  本発明に係るソレノイドバルブ装置を実施するための形態を実施例に基づいて以下に説明する。
【実施例】
【００１５】  実施例に係るソレノイドバルブ装置につき、図１から図８を参照して説明する。なお、図２と図７に示すプランジャ３４、ロッド３５、スプール７は断面ではなく側面図により示している。【００１６】  ソレノイドバルブ本体３は、スプールタイプのソレノイドバルブであって、例えば車両の自動変速機等の油圧により制御される装置に用いられるものである。図２及び図３に示されるようにソレノイドバルブ本体３がバルブハウジング２に組み込まれたものをソレノイドバルブ装置１という。【００１７】  図１に示されるように、ソレノイドバルブ本体３は、バルブとして流体の流量を調整するバルブ部５が電磁駆動部としてのリニアソレノイドとしてのソレノイド部１０に一体に取り付けられて構成されている。このバルブ部５の取り付けの詳細については後述する。【００１８】  図２及び図３に示されるように、バルブ部５は、外周にバルブハウジング２内に設けられた流路（図示しない）と接続される入力ポート６ａ（図１）や図示しない出力ポート等の開口が設けられたスリーブ６と、スリーブ６の貫通孔６ｂに液密に収容され複数のランド７ａを有するスプール７と、スプール７を軸方向下方に付勢するコイル状のスプリング８と、スプリング８を保持するリテーナ９から構成されている。この構成はスプールバルブとして良く知られた構成であるため詳細な説明は省略する。なお、スリーブ６、スプール７、リテーナ９は、アルミ、鉄、ステンレス、樹脂などの材料により形成されている。さらになお、図２及び後述する図７では入力ポート６ａと出力ポートの図示を省略している。【００１９】  図３に示されるように、スリーブ６の端部は、円筒の両側を軸方向に沿って形成された軸カット面６ｆ，６ｆ、径方向に沿って形成された径カット面６ｇ，６ｇ、が形成されている。すなわち、軸カット面６ｆ，６ｆが軸方向から見て一対の直線部を構成しており、軸カット面６ｆと軸カット面６ｆとの間の外径側に円弧形状が残存する部分が一対の円弧部６０，６０を構成し、スリーブ６の端部がスタジアム形に形成されている。【００２０】  また、軸カット面６ｆが形成された端部の端面から離れた箇所に周方向に形成されたスリット６ｄが形成されている。このように、スリーブ６の端部には、つば６ｃが形成され、スリット６ｄの内径側には円弧形状の係合面６ｅが形成され、さらに軸カット面６ｆはその面が略Ｈ字状に形成されている。また、直線部としての軸カット面６ｆには径方向に貫通するドレンポートである第１呼吸孔としての呼吸孔６ｈが形成され、呼吸孔６ｈは貫通孔６ｂに連通されている。【００２１】  図２に示されるように、スプール７のプランジャ３４側の端部には後述するステータ３３の貫通孔３３ａ内に突出する小径の突出部７ｂ、突出部７ｂよりもスプリング８側に設けられステータ３３に当接する肩部７ｃが形成されている。【００２２】  ソレノイド部１０は、ソレノイドケース１１と、ソレノイドケース１１に収容されるソレノイド成形体１２と、ソレノイド成形体１２の内周側に位置する収容部３０、ソレノイドケース１１にカシメ固定されるエンドプレート３６とから主に構成されている。【００２３】  図３に示されるように、ソレノイドケース１１は円板状の板部１１ａにパイプ状の円筒部１１ｂが接続されたカップ形状である。円板状の板部１１ａには、中央にスリーブ６の端部よりも外形が僅かに大きい直線部１１ｅと円弧部１１ｆからなるスタジアム形の開口１１ｄが形成され、円筒部１１ｂの板部１１ａとは逆側の端部にはコネクタ部１６が挿通される切り欠き１１ｇが形成されている。【００２４】  図２に示されるように、ソレノイド成形体１２は、コイル１３とロアプレート１４を樹脂１５によりモールド成形し一体に形成され、ソレノイドケース１１の外部に延び出ているコネクタ部１６のコネクタから制御電圧が供給されるようになっている。コイル１３は、制御電圧に応じた磁界を発生させ、この磁界によりプランジャ３４に軸方向の磁気吸引力としての駆動力を発生させる。その駆動力により、プランジャ３４及びロッド３５を介してスプール７をスプリング８の付勢力に抗して軸方向に移動させる。【００２５】  収容部３０は、エンドプレート３６とは反対側から順に配置される、径方向に延びるフランジが形成された環状のサイドリング３１及びサイドリング３１の内周側に配置された環状のスペーサ２９の内周面と、リング形のスペーサ３２の内周面と、ステータ３３に軸方向に形成された貫通孔３３ａとにより主に構成されている。【００２６】  収容部３０の内側の空間内には、プランジャ３４とロッド３５が軸方向移動可能に配置されている。プランジャ３４は、その外周面が環状のスペーサ２９の内周面に案内されて軸方向移動可能となっており、ロッド３５は、スペーサ部３５ｂがステータ３３のプランジャ３４のバルブ部５側に形成された凹部３３ｂ内に配置され、本体部３５ａがステータ３３の貫通孔３３ａ内に案内されて軸方向移動可能となっている。また、プランジャ３４とロッド３５とは一体的に移動可能に構成されている。なお、ロッド３５とスプール７の突出部７ｂとは固定されていてもよい。【００２７】  収容部３０の内側の空間は、プランジャ３４のエンドプレート３６側の空間Ｓ１と、ステータ３３に形成された凹部３３ｂにより形成されたプランジャ３４のバルブ部５側の空間Ｓ２とから構成されており、空間Ｓ２は、貫通孔３３ａ内の空間Ｓ３と連通している。【００２８】  図２及び図４に示されるように、ステータ３３は、スプール７側の端部３３ｄが、スリーブ６のソレノイドケース１１側の端部に嵌入されている。また、端部３３ｄの外周面３３ｅには周方向に亘って無端環状の凹溝３３ｆが形成されており、さらに凹溝３３ｆの底面には径方向に貫通する第２呼吸孔としての呼吸孔３３ｇが形成されている。【００２９】  凹溝３３ｆと、図５に示されるように、スリーブ６のソレノイドケース１１側の端部の内周面６ｊとにより空間Ｓ４を構成しており、空間Ｓ４はスリーブ６の呼吸孔６ｈに連通している。ステータ３３の端部３３ｄの外周面３３ｅとスリーブ６のソレノイドケース１１側の端部の内周面６ｊとは液密に当接しており、ソレノイドバルブ本体３の外部からスリーブ６の呼吸孔６ｈを通してスリーブ６内に流れ込んだ流体は、全て空間Ｓ４に案内される。呼吸孔３３ｇは、ステータ３３の貫通孔３３ａ内の空間Ｓ３と、空間Ｓ４とを連通している。【００３０】  図６に示されるよう���、サイドリング３１のエンドプレート３６側の端面には、サイドリング３１の中央開口３１ｅと外周とを連通する径方向溝３１ａ，３１ｂが、外周には、これら径方向溝３１ａ，３１ｂに連通し軸方向に沿って延びる軸方向溝３１ｃ，３１ｄが形成されている。また、ソレノイド成形体１２のエンドプレート３６側の端面の外周角部には面取り部１２ｇが形成されており、これにより、ソレノイドケース１１とサイドリング３１との間の外周を周回するように形成された周方向溝１２ｈが形成されている。この周方向溝１２ｈには、軸方向溝３１ｃ，３１ｄが連通しており、約９０°ずれた位置でソレノイドケース１１の開口１１ｈに連通している。つまり、プランジャ３４のエンドプレート３６側の空間Ｓ１（図２参照）は、サイドリング３１に形成された中央開口３１ｅ、径方向溝３１ａ，３１ｂ、軸方向溝３１ｃ，３１ｄ、周方向溝１２ｈ、ソレノイドケース１１の開口１１ｈを介してソレノイドバルブ本体３の外部と連通している。【００３１】  次にソレノイドバルブ本体３の組み立て手順の一例について説明する。先ず、スプリング８及びスプール７をスリーブ６内に挿入し、その後、スリーブ６にリテーナ９をカシメ固定することによりバルブ部５を組み立てる。次いで、スリーブ６のつば６ｃをソレノイドケース１１の開口１１ｄに挿入し、スリット６ｄが開口１１ｄに対応する位置でスリーブ６を軸回りに９０度回転させることにより、スリット６ｄに開口１１ｄの直線部１１ｅが挟まれた状態でスリーブ６とソレノイドケース１１とが抜け止めされる（図１に示される状態。）。スリット６ｄの内側の円周面により形成される係合面６ｅの外径と開口１１ｄの両直線部１１ｅ、１１ｅ間の距離はほぼ等しく、図１に示される状態では、両直線部１１ｅ，１１ｅの内側面と係合面６ｅは一部当接している。また、図１に示される状態では、スリーブ６のソレノイドケース１１側の端部がステータ３３のスプール７側の端部３３ｄに外嵌した状態となり（図２）、かつスリーブ６の呼吸孔６ｈとステータ３３の呼吸孔３３ｇとは、図５に示す９０度の位相差で周方向に離間して配置された状態となる。【００３２】  次に、ソレノイドケース１１にソレノイド成形体１２を挿入し、スリーブ６の断面スタジアム形のつば６ｃに略同形のスタジアム形の凹部（図示略）を嵌合させ、ロアプレート１４のスリーブ６側の面をつば６ｃの対向面に当接させる。ついで、収容部３０を構成するサイドリング３１、スペーサ３２、ステータ３３をソレノイド成形体１２内に挿入すると、ステータ３３の肩部と、つば６ｃと、によりロアプレート１４を挟むようにそれぞれ当接させるとともに、ステータ３３のスリーブ６側の面がスプール７の肩部７ｃの対向面に当接しスプール７をスプリング８の付勢力に抗して軸方向に僅かに移動させる。最後に、エンドプレート３６をソレノイドケース１１のスリーブ６とは反対側の端部にカシメ固定することによりソレノイドバルブ本体３が組み立てられる。この状態（図２）では、スプール７はスプリング８によりソレノイド部１０側に付勢された状態とされている。【００３３】  図２に示されるように、バルブハウジング２には取付穴２ａが形成されており、この取付穴２ａにソレ��イドバルブ本体３のスリーブ６を取付ける。このとき、スリーブの呼吸孔６ｈが取付穴２ａの外部に少なくとも一部露出するようにバルブハウジング２に対してソレノイドバルブ本体３が取付けられる。加えて、ステータ３３の呼吸孔３３ｇが鉛直上方を向くように、バルブハウジング２に対してソレノイドバルブ本体３が取付けられる。【００３４】  組み立て後のソレノイドバルブ本体３においては、ステータ３３の呼吸孔３３ｇはソレノイドケース１１の開口１１ｈと同方向に開口し、かつスリーブ６の呼吸孔６ｈは、ステータ３３の呼吸孔３３ｇに対して９０度の位相差で周方向に離間して配置される。組み立て時には、ソレノイドバルブ本体３の外部から視認できるソレノイドケース１１の開口１１ｈが鉛直上方に、スリーブ６の呼吸孔６ｈが鉛直側方を向くようにバルブハウジング２に対してソレノイドバルブ本体３を取付けることにより、外部から視認できないステータ３３の呼吸孔３３ｇを鉛直上方に向けることができる。【００３５】  次に、ソレノイドバルブ本体３の動作について説明する。図２に示されるオフ状態において、制御電源が供給されると、コイル１３による磁気吸引力により、図７に示されるように、プランジャ３４及びロッド３５がバルブ部５側へ移動し、ロッド３５のバルブ部５側の端部３５ｃがスプール７の突出部７ｂを押し、スプール７をリテーナ９方向に移動させる。バルブ部５の図示しない入力ポートから出力ポートへ流れる制御流体の量は、スリーブ６内部でのスプール７の位置（すなわちランド７ａの位置）によって決まる。すなわちコイル１３に供給される電流を大きくすると、制御流体の量は増大する。【００３６】  また、コイル１３による磁気吸引力が相対的に弱まると、図２に示されるように、スプリング８の付勢力によりスプール７がソレノイド部１０側へ移動し、スプール７の肩部７ｃがステータ３３の対向端面３３ｈ（すなわち収容部３０の開口端部）に当接しスプール７は移動を規制され、プランジャ３４及びロッド３５はエンドプレート３６側に移動する。【００３７】  スリーブ６の呼吸孔６ｈは、図２に示される制御電流が供給されていない状態（すなわち非通電状態）と図６に示される制御電流が供給された状態（すなわち通電状態）とのいずれにあっても、ロッド３５及びスプール７に閉鎖されることがなく、図５に示されるスリーブ６のソレノイドケース１１側の端部の内周面６ｊと凹溝３３ｆとの間の空間Ｓ４とソレノイドバルブ本体３の外部とを常に連通している。また、ステータ３３の呼吸孔３３ｇも同様に、図２に示される制御電流が供給されていない状態と図６に示される制御電流が供給された状態とのいずれにあっても、図５に示されるステータ３３の貫通孔３３ａ内の空間Ｓ３と、空間Ｓ４とを連通している。すなわち、制御電流の供給の有無に関わらず、ソレノイドバルブ本体３の外部、空間Ｓ４、空間Ｓ３、空間Ｓ２、が連通している。【００３８】  図７に示されるように、非通電状態から制御電流が供給されると、プランジャ３４がスプール７をリテーナ９側に移動させ、矢印に示されるように、プランジャ３４のバルブ部５側の空間Ｓ２の流体である油は、空間Ｓ３に流れ込む。図８（ａ）に示すように、ステータ３３の���吸孔３３ｇは、鉛直上方に向けて形成されていることから、空間Ｓ３に流れ込んだ流体は、空間Ｓ３を流れステータ３３の呼吸孔３３ｇを通して空間Ｓ４に流れ込む。空間Ｓ４に流れ込んだ流体は、スリーブ６の呼吸孔６ｈからソレノイドバルブ本体３の外部へ排出される。【００３９】  このように、上記呼吸経路を通って、空間Ｓ２の流体は速やかに外部に排出され、ソレノイドバルブ本体３の応答性を向上させることができる。【００４０】  また、図２に示されるように、制御電流が停止又は減少され、スプリング８の付勢力によりプランジャ３４及びロッド３５がエンドプレート３６側に移動し、上記呼吸経路を介して、プランジャ３４のバルブ部５側の空間Ｓ２に流体を速やかに外部から流入させることができ、この場合もソレノイドバルブ本体３の応答性を向上させることができる。【００４１】  このとき図６（ａ）及び（ｂ）の矢印に示されるように、プランジャ３４のエンドプレート３６側の空間Ｓ１の流体は、サイドリング３１に形成された中央開口３１ｅ、径方向溝３１ａ，３１ｂ、軸方向溝３１ｃ，３１ｄ、周方向溝１２ｈ、ソレノイドケース１１の開口１１ｈを介してソレノイドバルブ本体３の外部に排出される。【００４２】  このように、上記呼吸経路を通って、空間Ｓ１の流体は速やかに外部に排出され、ソレノイドバルブ本体３の応答性を向上させることができる。また、非通電状態から制御電流が供給され、プランジャ３４がバルブ部５の方向に移動すると、上記呼吸経路を介して、プランジャ３４のエンドプレート３６側の空間Ｓ１に流体を速やかに外部から流入させることができ、この場合もソレノイドバルブ本体３の応答性を向上させることができる。【００４３】  また、図２に示されるように、通電状態から制御電流が停止又は減少された場合、スプリング８の付勢力によりプランジャ３４及びロッド３５がエンドプレート３６側に移動する際に、ソレノイドバルブ本体３の外部からスリーブ６の呼吸孔６ｈを通して流体が引き込まれる。上記したように、ステータ３３の呼吸孔３３ｇとスリーブ６の呼吸孔６ｈとは、ステータ３３とスリーブ６との間に形成された空間Ｓ４を介して連通していることから、スリーブ６の呼吸孔６ｈを介してソレノイドバルブ本体３の外部から流れ込んだ流体は、ステータ３３とスリーブ６との間に形成された空間Ｓ４を通過するため、ソレノイドバルブ本体３の外部の周囲に存在するコンタミがプランジャ３４のバルブ部５側の空間Ｓ２へ侵入する可能性を低減することができ、耐コンタミ性を向上させることができる。【００４４】  加えてプランジャ３４のバルブ部５側の空間Ｓ２からステータ３３の呼吸孔３３ｇへ流れる流体は、ステータ３３とスリーブ６との間に形成された空間Ｓ４を通過するため、すなわち長い経路を通過するため、ソレノイドバルブ本体３の外部に必要以上に排出されることが防止されるため、空間Ｓ２に流体を保持し易く、プランジャ３４の移動時における負圧の発生を抑制し、流体による抵抗を減衰させることができる。【００４５】  また、図８（ｂ）に示すように、スリーブ６の呼吸孔６ｈから空間Ｓ４に流れ込んだ流体は、一部が空間Ｓ４の上方側に、その他が空間Ｓ４の下方側に流れ込む。このとき、空��Ｓ４の下方側に流れ込んだ流体は、空間Ｓ４内を案内されて、周方向に約２７０度移動した後、ステータ３３の呼吸孔３３ｇから空間Ｓ３内に流れ込む。この反時計周りに比較的長い距離を移動する過程において、流体中の比重の重いコンタミを空間Ｓ４の下方側に効果的に落とすことができ、コンタミの含有量が減少した流体を空間Ｓ３内に取り込むことができる。【００４６】  一方、空間Ｓ４の上方側に流れ込んだ流体は、空間Ｓ４内を案内されて、周方向に約９０度移動した後、ステータ３３の呼吸孔３３ｇから空間Ｓ３内に流れ込む。空間Ｓ４の上方側に流れ込んだ流体は、空間Ｓ４の下方側に流れ込んだ流体に比べて、時計回りに短い距離でステータ３３の呼吸孔３３ｇに到達するため、空間Ｓ３を介してプランジャ３４のバルブ部５側の空間Ｓ２内に迅速に流体を送り込むことができ、ソレノイドバルブ本体３の応答性を効果的に高めることができる。なお、空間Ｓ４の上方側に流れ込んだ流体中のコンタミも空間Ｓ４の下方側に落ちるため、空間Ｓ２へのコンタミの侵入を抑制することができる。【００４７】  すなわち、スリーブ６の呼吸孔６ｈから空間Ｓ４に流れ込んだ流体は、空間Ｓ４の上方側から比較的短い距離を移動してステータ３３の呼吸孔３３ｇに流れ込むものと、空間Ｓ４の下方側から比較的長い距離を移動してステータ３３の呼吸孔３３ｇに流れ込むものとに分けられることから、迅速に空間Ｓ２へ流体を送り込むことができ、かつ、これら２方向からステータ３３の呼吸孔３３ｇに流れ込む流体における全体的なコンタミの含有量を減少させることができる。【００４８】  また、空間Ｓ４内の上方側におけるスリーブ６の呼吸孔６ｈからステータ３３の呼吸孔３３ｇへの距離と、空間Ｓ４内の下方側におけるスリーブ６の呼吸孔６ｈからステータ３３の呼吸孔３３ｇへの距離と、がそれぞれ異なることから、空間Ｓ４内における流体への抵抗に差が生じ、流速が異なったものとなる。そのため、空間Ｓ４内における流体の流れが流速の早い側の移動方向に偏り易く、この流れにより流体内に含まれるコンタミが遠心力により空間Ｓ４の内周面における外側に押し付けられ、空間Ｓ３内にコンタミが侵入し難い。【００４９】  また、ステータ３３の呼吸孔３３ｇは、ソレノイドバルブ本体３がバルブハウジング２に取付けられた状態で、鉛直上方を向くように形成されていることから、スリーブ６の呼吸孔６ｈを介してソレノイドバルブ本体３の外部から流れ込んだ流体に含まれるコンタミは、ステータ３３とスリーブ６との間に形成された空間Ｓ４における重力方向の下部に沈殿し易く、空間Ｓ４から呼吸孔３３ｇを通じてステータ３３の貫通孔３３ａが構成する空間Ｓ３へのコンタミの侵入を効果的に抑制することができる。【００５０】  また、ステータ３３の呼吸孔３３ｇは、ソレノイドバルブ本体３がバルブハウジング２に取付けられた状態で、鉛直上方を向くように形成されていることから、空間Ｓ２，Ｓ３に流れ込んだ流体を当該空間Ｓ２，Ｓ３内に確実に滞留させることができる。【００５１】  また、ステータ３３の外周には、周方向に無端環状の凹溝３３ｆが形成されており、この凹溝３３ｆとスリーブ６の端部の内周面６ｊとの間で空間Ｓ４が形成されているため、空間��４内に流れ込んだ流体は、凹溝３３ｆ内を周方向に誘導され、ステータ３３の呼吸孔３３ｇとスリーブ６の呼吸孔６ｈの配置関係に関わらず、流体を呼吸孔３３ｇと呼吸孔６ｈとの間で確実に移動させることができる。【００５２】  また、上記したように、ステータ３３の外周に形成された凹溝３３ｆと、スリーブ６のソレノイドケース１１側の端部の内周面６ｊとの間に空間Ｓ４が形成される構造であることから、スリーブ６をソレノイドケース１１から取り外すことで、ステータ３３が露出し、その外周に形成された凹溝３３ｆ内に残留したコンタミの清掃を行い易い。【００５３】  また、図４に示されるように、スリーブ６の呼吸孔６ｈは、凹溝３３ｆに対して軸方向にズレて配置されており、当該呼吸孔６ｈの流路が絞られている。これによれば、呼吸孔６ｈの流路を流れる流体の流路断面積Ａ１に比べて、空間Ｓ４内の流路断面積Ａ２（図７参照）が大きくなり、スリーブ６の呼吸孔６ｈから空間Ｓ４内に流れ込んだ流体の流速が減衰され、空間Ｓ４の下方にコンタミを沈殿させ易い。なお、スリーブ６の呼吸孔６ｈを凹溝３３ｆに対して軸方向にズラさなくともよく、空間Ｓ４内の流路断面積Ａ２を呼吸孔の流路断面積をよりも大きくすれば同様の効果が得られる。【００５４】  また、空間Ｓ４が周方向に亘り無端状に形成されていることから、仮に空間Ｓ４の下方側に流体の移動を妨げる程にコンタミが沈殿している場合には、空間Ｓ４の上方側を通して流体を迅速にソレノイドバルブ本体３の外部に排出、または空間Ｓ３側に取り込むことができる。【００５５】  以上、本発明の実施例を図面により説明してきたが、具体的な構成はこれら実施例に限られるものではなく、本発明の要旨を逸脱しない範囲における変更や追加があっても本発明に含まれる。【００５６】  例えば、前記実施例において、組み立て後のソレノイドバルブ本体３において、スリーブ６の呼吸孔６ｈは、ステータ３３の呼吸孔３３ｇに対して９０度の位相差で周方向に離間して配置されているが、呼吸孔６ｈと呼吸孔３３ｇとが空間Ｓ４における周方向の両側で異なる距離となる位置に形成されていれば、その位相差は９０度に限らず、例えば１２０度等であってもよい。【００５７】  また、ソレノイドケース１１の開口１１ｈとスリーブ６の呼吸孔６ｈとは、同方向に開口する構成に限らず、例えば９０度の位相差で周方向に離間して形成されていてもよい。【００５８】  また、ステータ３３の外周に形成された凹溝３３ｆと、スリーブ６のソレノイドケース１１側の端部の内周面６ｊとの間に空間Ｓ４が形成される構成に限らず、例えばスリーブ６のソレノイドケース１１側の端部の内周面６ｊに凹溝を設け、凹溝を省略したステータ３３の外周面との間で空間Ｓ４を構成してもよい。【００５９】  また、ステータ３３がスリーブ６内に嵌入する構成に代えて、スリーブ６とステータ３３との軸方向の端面を突き合わせる構成であってもよく、この場合スリーブ６もしくはステータ３３とのいずれか一方または両方の軸方向の端面に凹溝を設けて空間Ｓ４を構成するようにしてもよい。【００６０】  また、呼吸孔６ｈと、呼吸孔３３ｇとは、スリーブ６とステータ３３とにそれぞれ設けられる構成に限らず、例えばスリーブ��とステータ３３との軸方向の端面を突き合わせる構成であれば、スリーブ６とステータ３３との軸方向の端面にそれぞれ溝を形成し、これら溝同士を対向させることで呼吸孔６ｈと呼吸孔３３ｇとに相当する呼吸孔をそれぞれ構成してもよい。
【符号の説明】
【００６１】１                ソレノイドバルブ装置２                バルブハウジング２ａ              取付穴３                ソレノイドバルブ本体５                バルブ部６                スリーブ６ｂ              貫通孔６ｈ              呼吸孔（第１呼吸孔）６ｆ              軸カット面（直線部）６ｊ              内周面７                スプール７ｂ              突出部８                スプリング９                リテーナ１０              ソレノイド部１１              ソレノイドケース１１ｈ            開口１２              ソレノイド成形体１３              コイル１６              コネクタ部３０              収容部３１              サイドリング３３              ステータ３３ｆ            凹溝３３ｅ            外周面３３ａ            貫通孔３３ｇ            呼吸孔（第２呼吸孔）３４              プランジャ３５              ロッド３６              エンドプレート６０              円弧部Ａ１              流路断面積Ａ２              流路断面積Ｓ〜Ｓ４          空間
【図１】
2019102931.tif 000003
【図２】
2019102931.tif 000004
【図３】
2019102931.tif 000005
【図４】
2019102931.tif 000006
【図５】
2019102931.tif 000007
【図６】
2019102931.tif 000008
【図７】
2019102931.tif 000009
【図８】
2019102931.tif 000010
【国際調査報告】
2019102931.tif 000011
2019102931.tif 000012
2019102931.tif 000013
2019102931.tif 000014